(57)【要約】【課題】  着座者を広い範囲で効率良く温めることができるシャワー機能付き椅子を提供する。【解決手段】  シャワー機能付き椅子は、座部３とバックレスト４を含む椅子本体２を備えている。バックレスト４の上方において、椅子本体２には、左右に延びる上端水平パイプ２０が支持されており、この上端水平パイプ２０の左右両端には一対の中空のシャワーアーム３０が上下左右に回動可能に連結されている。一対のシャワーアーム３０は、略Ｓ字状をなし、第１アーム部３１と第２アーム部３２を有している。第１アーム部３１は前方に延び、さらに上記バックレストの前方において下方に向かって延びている。第１アーム部３１には、着座者の上半身に向けて湯を噴射するノズル３１ａが形成されている。第２アーム部３２は座部３より高い位置において第１アーム部３１の先端から前方に延びている。第２アーム部３２には、着座者の足に向けて湯を噴射するノズル３２ａが形成されている。【選択図】図１
2019000587.tif 000002
【特許請求の範囲】
【請求項１】
座部とバックレストを含む椅子本体と、
上記バックレストの上方において上記椅子本体に一端が支持された左右一対の中空のシャワーアームと、を備え、
上記一対のシャワーアームは、上記バックレストの上方から前方に延び、さらに上記バックレストの前方において下方に向かって延びる第１アーム部を有し、
上記一対のシャワーアームの上記第１アーム部には、着座者の上半身に向けて水を噴射するノズルがそれぞれ形成されていることを特徴とするシャワー機能付き椅子。
【請求項２】
上記一対のシャワーアームはさらに、上記座部より高い位置において上記第１アーム部の下端から前方へ延びる第２アーム部を有し、上記第２アーム部には、上記着座者の足に向けて水を噴射するノズルが形成されていることを特徴とする請求項１に記載のシャワー機能付き椅子。
【請求項３】
上記第２アーム部は、上記椅子本体の座部より前方に位置していることを特徴とする請求項２に記載のシャワー機能付き椅子。
【請求項４】
上記第２アーム部は、上記第１アーム部に中間継手を介して上下方向に回動可能に連結されていることを特徴とする請求項２または３に記載のシャワー機能付き椅子。
【請求項５】
上記一対のシャワーアームはさらに、上記第２アーム部の前端から下方に延びる第３アーム部を有し、この第３アーム部には、着座者の下肢に向けて水を噴射するノズルが形成されていることを特徴とする請求項２〜４のいずれかに記載のシャワー機能付き椅子。
【請求項６】
上記シャワーアームは、上記椅子本体に上下方向に回動可能に支持されていることを特徴とする請求項１〜５のいずれかに記載のシャワー機能付き椅子。
【請求項７】
上記椅子本体には中空の通路構成体が設けられ、上記通路構成体には水の供給を受ける注水口が設けられており、上記通路構成体からの水が上記一対のシャワーアームに送られることを特徴とする請求項１〜５のいずれかに記載のシャワー機能付き椅子。
【請求項８】
上記通路構成体はバックレストの上方において左右方向に延び、上記通路構成体の左右両端に上記一対のシャワーアームがそれぞれ連結されていることを特徴とする請求項７に記載のシャワー機能付き椅子。
【請求項９】
上記通路構成体の左右部には、着座者の肩部に水を噴射するノズルが形成されていることを特徴とする請求項８に記載のシャワー機能付き椅子。
【請求項１０】
上記シャワーアームは、上記通路構成体に主継手を介して上下方向に回動可能に連結されていることを特徴とする請求項８または９に記載のシャワー機能付き椅子。
【請求項１１】
上記主継手は上記シャワーアームの左右方向の回動をも許容することを特徴とする請求項１０に記載のシャワー機能付き椅子。
【請求項１２】
上記椅子本体は、左右一対の中空の側部フレームと、上記一対の側部フレームと上記通路構成体を連通させる中空の背側フレームとを有し、上記側部フレームは、上記座部の左右縁部の下側を通る水平部と、この水平部の前端から下方に延びる前脚部とを含み、
上記一対の側部フレームの前脚部の下端部には、上方に延びる左右一対の中空の下部シャワーアームがそれぞれ連結され、これら下部シャワーアームには、着座者の下肢に向けて水を噴射するノズルが形成されていることを特徴とする請求項８〜１１のいずれかに記載のシャワー機能付き椅子。
【請求項１３】
上記下部シャワーアームは、上記側部フレームの前脚部の下端部に下部継手を介して前後方向に回動可能に連結されていることを特徴とする請求項１２に記載のシャワー機能付き椅子。
【請求項１４】
上記椅子本体の座部の下側から前方かつ下方に延びる１本の中空の下部シャワーアームが延びており、上記椅子本体は、上記通路構成体と上記下部シャワーアームを連通させる中空の背側フレームを有しており、
上記下部シャワーアームの左右両側には着座者の下肢に水を噴射するノズルが形成されていることを特徴とする請求項８〜１１のいずれかに記載のシャワー機能付き椅子。
【請求項１５】
浴室の給水栓から延びるとともに先端に第１コネクタを有するシャワーホースと、請求項７〜１４のいずれかに記載のシャワー機能付き椅子と、手で持って移動可能なシャワーヘッドとを備え、
上記シャワー機能付き椅子の上記通路構成体には、上記第１コネクタに着脱可能に接続される第２コネクタが設けられ、上記第２コネクタの先端が上記注水口として提供され、
上記シャワーヘッドには、上記第２コネクタと同一構造をなし上記第１コネクタに着脱可能に接続される第３コネクタが設けられていることを特徴とするシャワー設備。
【発明の詳細な説明】
【技術分野】
【０００１】
本発明は、浴室等の給湯設備（給水設備）のある場所において着座姿勢でシャワーを浴びることができるシャワー機能付き椅子およびこのシャワー機能付き椅子を備えたシャワー設備に関する。
【背景技術】
【０００２】
入浴の目的は、洗体、洗髪を行い、身体の汚れを除去することと、身体を温めて血流を促進させる（温浴）ことである。
一般的には、浴室の洗い場でシャワーを使いながら身体の汚れを除去し、浴槽の湯（温水）に浸かって身体を温める。
【０００３】
身体機能が低下して浴槽に入るのが困難である場合には、洗い場でシャワーのみで身体を温めるシャワー浴で済ますことがある。しかし、シャワーホースの先端に設けられたシャワーヘッドによるシャワー浴では、十分に身体を温めることができない。
そこで、特許文献１〜３に開示されているように、着座姿勢でシャワーを浴びることができるシャワー機能付き椅子が開発されている。
【０００４】
特許文献１のシャワー機能付き椅子には、バックレスト下部の左右から前方に水平に延びる一対のシャワー配管が装備されている。これらシャワー配管には着座者の上半身の下部の左右に向けて湯（温水）を噴射するノズルが設けられている。これらシャワー配管の先端部は直角に内側に折れ曲がっており、この折り曲げられた先端部には、着座者の腹部に向けて湯を噴射するノズルと、下方に左右の太腿に向けて湯を噴射するノズルが設けられている。
【０００５】
特許文献２のシャワー機能付き椅子では、バックレストの上方にＵ字形に張り出したシャワー配管が配置されている。このシャワー配管には、下方に向けて、すなわち着座者の上半身および太腿部に向けて湯を噴射するノズルが間隔をおいて設けられている。
【０００６】
特許文献３のシャワー機能付き椅子では、椅子のバックレストとしてシャワーユニットが設置されており、このシャワーユニットには着座者の背中に向けて湯を噴射するノズルが設けられている。さらにシャワーユニットは、側方に開く左右一対のアーム部を有しており、開き状態のアーム部のノズルから、下方に向けて着座者の上半身に湯を噴射するようになっている。
【先行技術文献】
【特許文献】
【０００７】
【特許文献１】特開平９−１２２０３５号公報
【特許文献２】特開２００３−２１９９７７号公報
【特許文献３】特許４２０２７７６号公報
【発明の概要】
【発明が解決しようとする課題】
【０００８】
特許文献１〜３のシャワー機能付き椅子では、着座者の上半身に広い範囲にわたって湯を効率良く噴射することができない。以下、具体的に説明する。
特許文献１の椅子では、着座者の上半身の下部にしか湯を噴射することができない。
特許文献２の椅子では、着座者の上方から湯を噴射することになり、着座者の上半身の近くで湯を噴射することができない。
特許文献３の椅子でも、左右一対のアーム部は着座者の上方において側方に開くので、このアーム部のノズルからは、着座者の上半身の近くで湯を噴射することができない。
【課題を解決するための手段】
【０００９】
本発明は上記課題を解決するためになされたものであり、シャワー機能付き椅子において、座部とバックレストを含む椅子本体と、上記バックレストの上方において上記椅子本体に一端が支持された左右一対の中空のシャワーアームと、を備え、上記一対のシャワーアームは、上記バックレストの上方から前方に延び、さらに上記バックレストの前方において下方に向かって延びる第１アーム部を有し、上記一対のシャワーアームの上記第１アーム部には、着座者の上半身に向けて水を噴射するノズルがそれぞれ形成されていることを特徴とする。
上記構成によれば、一対のシャワーアームの第１アーム部が着座者の左右において上半身に沿って配置され、上半身に近い位置から水を噴射するので、広範囲にわたり効率良い上半身の温水浴または冷水浴が可能である。
【００１０】
好ましくは、上記一対のシャワーアームはさらに、上記座部より高い位置において上記第１アーム部の下端から前方へ延びる第２アーム部を有し、上記第２アーム部には、上記着座者の足に向けて水を噴射するノズルが形成されている。
上記構成によれば、一対のシャワーアームの第２アーム部が着座者の上肢に沿って延びており、上肢に近い位置から水（温水または冷水）を噴射するので、効率良く上肢に水をかけることができる。
【００１１】
好ましくは、上記第２アーム部は、上記椅子本体の座部より前方に位置している。
上記構成によれば、座部より前方に位置する着座者の膝および太腿に確実に水をかけることができる。
【００１２】
好ましくは、上記第２アーム部は、上記第１アーム部に中間継手を介して上下方向に回動可能に連結されている。
上記構成によれば、着座者の体格に合わせて第２アーム部の高さを調節することができる。
【００１３】
好ましくは、上記一対のシャワーアームはさらに、上記第２アーム部の前端から下方に延びる第３アーム部を有し、この第３アーム部には、着座者の下肢に向けて水を噴射するノズルが形成されている。
上記構成によれば、着座者の下肢に確実に水をかけることができる。
【００１４】
好ましくは、上記シャワーアームは、上記椅子本体に上下方向に回動可能に支持されている。
上記構成によれば、着座者の体格に合わせてシャワーアームの高さを調節することができる。
【００１５】
好ましくは、上記椅子本体には中空の通路構成体が設けられ、上記通路構成体には水の供給を受ける注水口が設けられており、上記通路構成体からの水が上記一対のシャワーアームに送られる。
上記構成によれば、共通の通路構成体から一対のシャワーアームに水を送るので、送水のための構造を簡略化することができる。
【００１６】
好ましくは、上記通路構成体はバックレストの上方において左右方向に延び、上記通路構成体の左右両端に上記一対のシャワーアームがそれぞれ連結されている。
上記構成によれば、通路構成体の構成を簡略化することができる。
【００１７】
好ましくは、上記通路構成体の左右部には、着座者の肩部に水を噴射するノズルが形成されている。
上記構成によれば、着座者の肩部に確実に水をかけることができる。
【００１８】
好ましくは、上記シャワーアームは、上記通路構成体に主継手を介して上下方向に回動可能に連結されている。
上記構成によれば、着座者の体格に合わせてシャワーアームの高さを調節することができる。
【００１９】
好ましくは、上記主継手は上記シャワーアームの左右方向の回動をも許容する。
上記構成によれば、シャワーアームを左右方向に位置調節することができる。
【００２０】
好ましくは、上記椅子本体は、左右一対の中空の側部フレームと、上記一対の側部フレームと上記通路構成体を連通させる中空の背側フレームとを有し、上記側部フレームは、上記座部の左右縁部の下側を通る水平部と、この水平部の前端から下方に延びる前脚部とを含み、上記一対の側部フレームの前脚部の下端部には、上方に延びる左右一対の中空の下部シャワーアームがそれぞれ連結され、これら下部シャワーアームには、着座者の下肢に向けて水を噴射するノズルが形成されている。
上記構成によれば、着座者の下肢に確実に水をかけることができる。
【００２１】
好ましくは、上記下部シャワーアームは、上記側部フレームの前脚部の下端部に下部継手を介して前後方向に回動可能に連結されている。
上記構成によれば、着座者の体格に合わせて下部シャワーアームを位置調節することができる。
【００２２】
好ましくは、上記椅子本体の座部の下側から前方かつ下方に延びる１本の中空の下部シャワーアームが延びており、上記椅子本体は、上記通路構成体と上記下部シャワーアームを連通させる中空の背側フレームを有しており、上記下部シャワーアームの左右両側には着座者の下肢に水を噴射するノズルが形成されている。
上記構成によれば、着座者の下肢に確実に水をかけることができる。
【００２３】
本発明の他の態様は、浴室の給水栓から延びるとともに先端に第１コネクタを有するシャワーホースと、上記シャワー機能付き椅子と、手で持って移動可能なシャワーヘッドとを備え、上記シャワー機能付き椅子の上記通路構成体には、上記第１コネクタに着脱可能に接続される第２コネクタが設けられ、上記第２コネクタの先端が上記注水口として提供され、上記シャワーヘッドには、上記第２コネクタと同一構造をなし上記第１コネクタに着脱可能に接続される第３コネクタが設けられている。
上記構成のシャワー設備によれば、共通のシャワーホースを用いて、シャワー機能付き椅子でのシャワーと、シャワーヘッドによるシャワーを選択することができる。
【発明の効果】
【００２４】
本発明によれば、広範囲にわたる効率良い温浴が可能である。
【図面の簡単な説明】
【００２５】
【図１】本発明の第１実施形態に係るシャワー機能付き椅子の斜視図である。
【図２】上記シャワー機能付き椅子に人が着座した状態を示す斜視図である。
【図３】上記シャワー機能付き椅子の側面図である。
【図４】上記シャワー機能付き椅子を折り畳んだ状態で示す側面図である。
【図５】（Ａ）は給湯栓から延びるシャワーホースと、上記シャワー機能付き椅子との接続構造を示す概略図であり、（Ｂ）は上記シャワーホースとシャワーヘッドとの接続構造を示す概略図である。
【図６】本発明の第２実施形態に係るシャワー機能付き椅子の斜視図である。
【図７】本発明の第３実施形態に係るシャワー機能付き椅子の斜視図である。
【発明を実施するための形態】
【００２６】
以下、本発明の第１実施形態を図１〜図５を参照しながら説明する。最初に図１〜図３を参照しながら、シャワー機能付き椅子の椅子本体１について説明する。椅子本体１は金属製のパイプフレーム構造からなる骨格フレーム２と、この骨格フレーム２に取り付けられた座部３、バックレスト４、左右のアームレスト５、ネックレスト６とを備えている。
【００２７】
最初に骨格フレーム２について説明する。骨格フレーム２は、左右一対の側部フレーム１０と、座部フレーム１４と、左右一対の後脚フレーム１５（後脚部）と、背側フレーム１６とを備えている。
【００２８】
各側部フレーム１０は、前後方向に延びる水平部１１と、水平部１１の前端から斜め下方に延びる前脚部１２と、水平部１１の後端から略垂直に上方に延びる垂直部１３とを有し、一本の連続したパイプにより構成されている。
【００２９】
左右の側部フレーム１０の水平部１１間には、座部フレーム１４が架け渡されている。座部フレーム１４の後部には、斜め下方に延びる後脚フレーム１５が前後方向に回動可能に連結されている。
【００３０】
上記背側フレーム１６は、左右の側部フレーム１０の垂直部１３の上端部間に架け渡された左右に延びる中空の背側水平部１７と、この背側水平部１７に固定されて上方に延びる左右一対のパイプからなる背側垂直部１８とを有している。
背側水平部１７は継手１９を介して側部フレーム１０の垂直部１３に回動可能に連結されている。背側水平部１７の内部空間は、継手１９を介して側部フレーム１０の内部空間と連通している。背側垂直部１８の内部空間は背側水平部１８の内部空間と連通している。
【００３１】
座部フレーム１４の上にプラスチック製の座部３が設置されている。一対の側部フレーム１０の水平部１１は、この座部３の左右縁部の下側に配置されている。座部３には水抜き穴が形成されている。
背側フレーム１６の前面にはプラスチック製のバックレスト４が固定されている。
側部フレーム１０の垂直部１３の上端部には、上記継手１９を介してアームレスト５が上下方向に回動可能に連結されている。
背側フレーム１６の背側垂直部１８の上端部には、プラスチック製のネックレスト６が支持されている。浴槽での入浴の代わりにこの椅子でシャワーを浴びる場合、座位の時間が１０分程度と長くなり、首への負担が大きくなる。ネックレスト６があることで、高齢者や要介護者であっても、長時間、座位姿勢を保持できる。
【００３２】
次に、上記骨格フレーム２に付設されたシャワー機能について詳述する。図１に示すように、背側フレーム１６の背側垂直部１８の上端部には、バックレスト４の上方において左右方向に延びる上端水平パイプ２０（通路構成体；送水手段）が連結されている。この上端水平パイプ２０の内部空間は背側垂直部１８の内部空間に連通している。
上端水平パイプ２０の左右部には、斜め（前方かつ下方）を向くノズル２０ａがそれぞれ形成されている。
【００３３】
図５（Ａ）に示すように、上端水平パイプ２０の中央にはＴ字形の継手２１を介して雄型コネクタ２２（第２コネクタ）が取り付けられている。この雄型コネクタ２２の先端が注水口２２ａとして提供される。
雄型コネクタ２２には、浴室の給湯栓（給水栓）から延びるフレキシブルなシャワーホース１００の先端の雌型コネクタ１０１（第１コネクタ）がワンタッチで着脱可能に接続されるようになっている。
【００３４】
上記給湯栓は、通常の給湯栓と同様に給湯とシャワーに切り替えることができるようになっており、シャワーに切り替えた時に、給湯栓からの湯が上記シャワーホース１００およびコネクタ１０１、２２を経て上端水平パイプ２０に供給されるようになっている。
【００３５】
本実施形態のシャワー設備は、図５（Ｂ）に示すように、手で持って移動可能なシャワーヘッド１１０も備えている。このシャワーヘッド１１０は、上記シャワー機能付き椅子１の雄型コネクタ２２と同じ構造の雄型コネクタ１１１（第３コネクタ）を有している。そのため、シャワーホース１００は、シャワー機能付き椅子１とシャワーヘッド１１０のいずれかに選択的に接続することができる。
【００３６】
上端水平パイプ２０の左右両端には、自在継手３５（主継手）を介してシャワーアーム３０が上下方向、左右方向に回動可能に連結されている。このシャワーアーム３０は、上に凸に湾曲した第１アーム部３１と、この第１アーム部３１の先端から上方に曲げられた略直線状の第２アーム部３２とを有し、略Ｓ字形をなしている。
【００３７】
図１〜図３に示す一対のシャワーアーム３０の使用時の姿勢において、第１アーム部３１がバックレスト４の左右において、上方から前方に延び、さらにバックレスト４の前方において下方に向かって延びている。第２アーム部３２は座部３より高い位置において、前方に延び、座部３より前方に位置している。
【００３８】
シャワーアーム３０は先端が閉じられたパイプからなり、その内部空間は自在継手３５を介して上端水平パイプ２０の内部空間に連通している。
シャワーアーム３０の第１アーム部３１には、複数例えば４つのノズル３１ａが間隔をおいて形成されている。これらノズル３１ａは、椅子１の左右方向中央を向くように横向きに形成されている。シャワーアーム３０の第２アーム部３２には、複数例えば２つのノズル３２ａが間隔をおいて形成されている。これらノズル３２ａも椅子１の左右方向中央を向くように横向きに形成されている。なお、これらノズル３１ａ，３２ａは斜め下方を向くように形成してもよい。
【００３９】
側部フレーム１０の前脚部１２の下端部には、下部シャワーアーム４０が下部継手４５を介して前後方向に回動可能に連結されている。この下部シャワーアーム４０は先端が閉塞されたパイプからなり、その内部空間は継手４５を介して、側部フレーム１０の内部空間と連通している。
下部シャワーアーム４０は、鈍角のＬ字形をなし、使用時姿勢において前脚部１２の下端部から前方に延びる第１部分４１と、この第１部分４１の先端から斜め上方に延びる第２部分４２とを有している。第２部分４２には、複数例えば３つのノズル４２ａが間隔をおいて形成されている。これらノズル４２ａは、椅子１の左右方向中央を向くように横向きに形成されている。
【００４０】
上記構成をなすシャワー機能付き椅子１は、浴室において使用される。椅子１への着座前に、予めシャワーアーム３０を上げておくか、下げてアームレスト３０の外側に配置させることにより、着座の際の邪魔にならないようにする。下部シャワーアーム４０も後方に回動させておき、着座の際の邪魔にならないようにする。
【００４１】
着座後、左右一対のシャワーアーム３０は、上下左右方向の回動により、着座者Ａの体格に合わせて所望位置に調節する。左右一対のシャワーアーム３０の第１アーム部３１が、着座者Ａの肩部の上方から上半身の前方において上半身の左右近傍に配置され、第２アーム部３２が、着座者Ａの座部３から前方に延びた上肢（太腿と膝）の上方近傍に配置される。
なお、左右のシャワーアーム３０の第２アーム部３２間の間隔を、第１アーム部３１の基端間の間隔より狭くし、第２アーム部３２を正面から見てアームレスト５の内側に配置させるのが好ましい。
具体的には、シャワーアーム３０は、着座者Ａに対して１５０ｍｍ以下になるように近づけるのが好ましい。
【００４２】
下部シャワーアーム４０も前後回動させることにより、着座者Ａの下肢の位置に合わせて位置調節する。下部シャワーアーム４０のノズル４２ａは前脚部１２より１００ｍｍ以上前方に位置させるのが好ましい。
【００４３】
次に、シャワーホース１００の雌型コネクタ１０１を上端水平パイプ２０の雄型コネクタ２２に接続し、給湯栓からの湯（温水）を、シャワーホース１００を介してシャワー機能付き椅子１に供給する。
上端水平パイプ２０の中央に流入した湯は左右に分かれてノズル２０ａから着座者Ａの肩部に噴射されるとともに、左右一対のシャワーアーム３０に供給される。一対のシャワーアーム３０を流れる湯は、第１アーム部３１のノズル３１ａから着座者Ａの両肩部、両腕部、胸部、腹部に噴射され、さらに、シャワーアーム３０の第２アーム部３２のノズル３２ａから着座者Ａの足（特に太腿や膝）に噴射される。このように左右一対のシャワーアーム３０は、着座者Ａの左右から着座者の上半身から足部までの広い範囲にわたって湯を噴射させることができる。しかも、第１アーム部３１は着座者Ａの上半身に沿ってその近傍に配置されており、第２アーム部３２は着座者Ａの上肢に沿ってその上方かつ近傍に配置されているので、湯を近距離で着座者Ａに噴射することができ、温浴効果を高めることができる。
【００４４】
上端水平パイプ２０の湯は、背側フレーム１６および左右の側部フレーム１０を通って左右の下部シャワーアーム４０にも供給され、この下部シャワーアーム４０の第２部分４２のノズル４２ａから近距離で着座者Ａの左右の下肢に噴射される。
【００４５】
上記のようにして、着座者Ａの略全身に広範囲にわたって近距離から湯を噴射することができ、最大限の温浴効果を発揮することができる。
【００４６】
着座者Ａの所望部位に選択的にシャワーを浴びせる場合には、シャワーホース１００の雌型コネクタ１０１をシャワー機能付き椅子１の雄型コネクタ２２から外し、シャワーヘッド１１０の雄型コネクタ１１１に接続する。なお、このシャワーヘッド１１０は通常の入浴時に使うこともできる。
【００４７】
図４に示すように、シャワー機能付き椅子１は不使用時に、折り畳んで保管することができる。詳述すると、後脚フレーム１５を前方へ回動させることにより、前脚部１２に近づけ、下部シャワーアーム４０を後方に回動させることにより、第１部分４１を前脚部１２に沿わせ、第２部分４２を前脚部１２と後脚フレーム１５との間に配置させる。さらに、背側フレーム１６を後側へ回動させるとともに、アームレスト５を上方へ回動させてバックレスト４に沿わせる。さらに、シャワーアーム３０を下方へ回動させることにより、その第１アーム部３１をバックレスト６に沿わせるとともに、座部３と交差させ、その第２アーム部３２を前脚部１２と後脚フレーム１５との間に配置する。このようにして、シャワー機能付き椅子１は、高さが増大するものの前後方向の寸法が減じられるので、狭いスペースに保管することができる。
【００４８】
上記実施形態において、着座者Ａの体格に合わせ、座部３を前後方向に位置調節させてもよい。
また、背側フレーム１６および上端水平パイプ２０の高さを調節できるようにしてもよい。具体的には、背側フレーム１６の背側垂直部１８の下端部を、背側水平部１７に、湯の流通を確保しつつ、上下方向の位置調節を可能に連結する。
【００４９】
次に、本発明の他の実施形態について図面を参照しながら説明する。これら実施形態において第１実施形態に対応する構成部には同番号または類似番号を付してその詳細な説明を省略する。
【００５０】
図６に示す第２実施形態のシャワー機能付き椅子では、椅子本体１Ａの骨格フレーム２Ａが湯を流通させる機能を持たず、第１実施形態の下部シャワーアーム４０は省かれている。本実施形態では、左右一対のシャワーアーム３０Ａだけで、着座者の温浴を行うようになっている。以下、詳述する。
【００５１】
背側フレーム１６Ａは座部フレーム１４の後部から上方に延び、Ｙ字形をなしており、その上端には、上端水平パイプ２０が固定されている。シャワーアーム３０Ａは上端水平パイプ２０の左右両端に自在継手３５により上下方向および左右方向に回動可能に連結されている。
シャワーアーム３０Ａは、第１実施形態と同様に第１アーム部３１と第２アーム部３２を有し、さらに第２アーム部３２の先端から下向きに延びる第３アーム部３３を有している。
第２アーム部３２は、中間継手３６を介して第１アーム部３１の先端に上下方向に回動可能に連結されている。これにより、第２アーム部３２および第３アーム部３３を第１アーム部３１に対して上下方向に位置調節することができる。
【００５２】
シャワーアーム３０Ａの第３アーム部３３には、複数例えば３つのノズル３３ａが間隔をおいて形成されている。これらノズル３３ａは、左右方向中央を向くように横向きに形成されている。これら第３アーム３３のノズル３３ａから着座者の下肢に湯を噴射する。  第２実施形態でも第１実施形態と同様に、着座者Ａの上半身から下肢に至る広範囲にわたって近距離から湯を噴射することができ、最大限の温浴効果を発揮することができる。
【００５３】
図７に示す第３実施形態のシャワー機能付き椅子では、椅子本体１Ｂの骨格フレーム２Ｂにおいて、中空をなす背側フレーム１６Ｂだけが湯を流通させる機能を持っている。本実施形態では、第１実施形態の左右一対の下部シャワーアーム４０の代わりに、座部フレーム１４の下面中央に固定された１本の下部シャワーアーム５０が装備されている。下部シャワーアーム５０は先端が閉塞されたパイプからなり、その内部空間は、中空をなす背側フレーム１６Ｂを介して上端水平パイプ２０の内部空間に連なっている。
【００５４】
下部シャワーアーム５０は、座部フレーム１４から前方へ突出する第１部分５１と、この第１部分の先端から下方に折れ曲がった第２部分５２とを有している。下部シャワーアーム５０の第２部分５２の左右には、それぞれ間隔をおいて複数（例えば２つ）のノズル５２ａが形成されている。これら左右のノズル５２ａは、それぞれ左右に向かって横向きに形成されている。
【００５５】
第３実施形態では、上端水平パイプ２０に供給された湯は、第１実施形態と同様に左右一対のシャワーアーム３０から噴射されるとともに、背側フレーム１６Ｂを経て脚部フレーム５０の第２部分５２のノズル５２ａから着座者の左右の下肢に向けて噴射される。
第３実施形態でも第１、第１、第２実施形態と同様に、着座者Ａの上半身から下肢に至る広範囲にわたって近距離から湯を噴射することができ、最大限の温浴効果を発揮することができる。
【００５６】
本発明は、上記実施形態に限定されるものではなく、その精神を逸脱しない範囲において種々の改変をなすことができる。
全ての実施形態において、湯（温水）の代わりに冷水を用いてもよい。暑い時には冷水により身体を効果的に冷やすことができる。
本発明におけるノズルは、アーム部の管壁の外面に形成された凸部を貫通する穴であってもよいし、単に管壁を貫通する穴であってもよい。
シャワーアームは上下方向のみ回動可能でもよく、回動不能であってもよい。シャワーアームは、胴体と大腿に湯を掛けられるよう屈曲部が１箇所あればよく、第１アーム部が直線状であるへの字形状であってもよい。
バックレストは、少なくとも背中を支えられれば形状は板状でなくてもよく、背側フレームの一部により構成してもよい。座部も座部フレームにより構成してもよい。
【産業上の利用可能性】
【００５７】
本発明は、浴室等において着座したまま温浴可能なシャワー機能付き椅子に適用可能である。
【符号の説明】
【００５８】
１，１Ａ，１Ｂ  椅子本体
４  座部
５  バックレスト
１０  側部フレーム
１１  水平部
１２  前脚部
１６，１６Ａ，１６Ｂ  背側フレーム
２０  上端水平パイプ（通路構成体）
２０ａ  ノズル
２２  雄型コネクタ（第２コネクタ）
２２ａ  注水口
３０，３０Ａ  シャワーアーム
３１  第１アーム部
３１ａ  ノズル
３２  第２アーム部
３２ａ  ノズル
３３  第３アーム部
３３ａ  ノズル
３５  自在継手（主継手）
３６  中間継手
４０，５０  下部シャワーアーム
４２ａ，５２ａ  ノズル
４５  下部継手
１００  シャワーホース
１０１  雌型コネクタ（第１コネクタ）
１１０  シャワーヘッド
１１１  雄型コネクタ（第３コネクタ）
【図１】
2019000587.tif 000003
【図２】
2019000587.tif 000004
【図３】
2019000587.tif 000005
【図４】
2019000587.tif 000006
【図５】
2019000587.tif 000007
【図６】
2019000587.tif 000008
【図７】
2019000587.tif 000009